(57)【要約】【課題】  複数種類の表示パネルのうち、何れかの表示パネルが接続されたとしても、適正な表示制御を行うことが可能な液晶表示パネルの制御装置を提供する。【解決手段】  斯かる表示パネルの制御装置は、複数の配線を有する液晶表示パネル１と、この液晶表示パネル１を制御するための制御手段３と、を備えた表示パネルの制御装置であって、液晶表示パネル１における前記複数の配線のうち、液晶表示パネル１の仕様に応じて他の端子と接続状態、または非接続状態の識別用端子１２を設け、制御手段３は、識別用端子１２と接続され、識別用端子１２の前記接続状態、または非接続状態に基づいて液晶表示パネル１の仕様を判別する判定手段と、この判定手段の判定結果に応じて予め格納された複数のプログラムから液晶表示パネル１の仕様に対応するプログラムを選択するプログラム選択手段とを備えてなる。【選択図】  図１
2011028224.tif 000002
【特許請求の範囲】
【請求項１】
複数の配線を有する表示パネルと、
この表示パネルを制御するための制御手段と、を備えた表示パネルの制御装置であって、
前記表示パネルにおける前記複数の配線のうち、前記表示パネルの仕様に応じて他の端子と接続状態、または非接続状態の識別用端子を設け、
前記制御手段は、前記識別用端子と接続され、前記識別用端子の前記接続状態、または非接続状態に基づいて前記表示パネルの仕様を判別する判定手段と、前記判定結果に応じて予め格納された複数のプログラムから前記表示パネルの仕様に対応するプログラムを選択するプログラム選択手段とを備えてなることを特徴とする表示パネルの制御装置。
【請求項２】
複数の配線を有する表示パネルと、
この表示パネルを制御するための制御手段と、を備えた表示パネルの制御装置であって、
前記表示パネル上において、前記表示パネルの仕様に応じて異なる抵抗値の抵抗体と、
前記表示パネルにおける前記複数の配線のうち、前記抵抗体を介して接続する複数の識別用端子とを設け、
前記制御手段は、前記識別用端子と接続され、前記抵抗値に基づいて前記表示パネルの仕様を判別する判定手段と、前記判定結果に応じて予め格納された複数のプログラムから前記表示パネルの仕様に対応するプログラムを選択するプログラム選択手段とを備えてなることを特徴とする表示パネルの制御装置。
【発明の詳細な説明】
【技術分野】
【０００１】
本発明は、複数の配線を有する表示パネルと、この表示パネルを制御するための制御手段と、を備えた表示パネルの制御装置に関する。
【背景技術】
【０００２】
従来、電気信号に応じて表示像を形成し、可視情報として表示出力する表示パネルがあり、例えば、特許文献１に示すように、液晶表示パネルを用いたものがある。これら表示パネルは、画素構成、表示デザイン、製品サイズ等について極めて多様化されており、多機種の表示パネルが製造されている。
【先行技術文献】
【特許文献】
【０００３】
【特許文献１】特開平１０−１２３５５７号公報
【発明の概要】
【発明が解決しようとする課題】
【０００４】
しかしながら、前述した多様化により、異なる仕様の表示パネルであっても類似する場合があり、これらを判別する作業が困難なものとなっていた。従って、表示パネルの製造工程などにおいて、異機種の表示パネルが混入してしまう可能性があり問題となっていた。そこで、表示パネル製造工程や表示パネル組付け時において、表示パネルの仕様確認の作業を行っている。しかし、表示デザインの一部のみが相違するなど、外観から異機種であると簡単に判別できないものもあり、その確認作業は極めて煩雑であるという問題があった。
【０００５】
また、誤って異機種の表示パネルを組み付けた際には、仕様として表示パネルだけが異なる場合であっても、表示制御側が対応していないため、適正な表示出力ができず不良品となってしまう問題があった。
【０００６】
そこで本発明の目的とするところは、上述した課題に着目してなされたものであって、複数種類の表示パネルのうち、何れかの表示パネルが接続されたとしても、適正な表示制御を行うことが可能な液晶表示パネルの制御装置を提供することにある。
【課題を解決するための手段】
【０００７】
本発明の表示パネルの制御装置は、複数の配線を有する表示パネルと、この表示パネルを制御するための制御手段と、を備えた表示パネルの制御装置であって、前記表示パネルにおける前記複数の配線のうち、前記表示パネルの仕様に応じて他の端子と接続状態、または非接続状態の識別用端子を設け、前記制御手段は、前記識別用端子と接続され、前記識別用端子の前記接続状態、または非接続状態に基づいて前記表示パネルの仕様を判別する判定手段と、前記判定結果に応じて予め格納された複数のプログラムから前記表示パネルの仕様に対応するプログラムを選択するプログラム選択手段とを備えてなることを特徴とする表示パネルの制御装置。
【発明の効果】
【０００８】
本発明は、複数の配線を有する表示パネルと、この表示パネルを制御するための制御手段と、を備えた表示パネルの制御装置に関し、複数種類の表示パネルのうち、何れかの表示パネルが接続されたとしても、適正な表示制御を行うことが可能となる。
【図面の簡単な説明】
【０００９】
【図１】本発明の実施の形態における構成を示す図。
【図２】同上実施の形態における液晶表示パネルの識別用端子を示す図。
【図３】抵抗体を用いた別例における液晶表示パネル識別用端子を示す図。
【図４】同上別例における各構成の接続状態を示す図。
【図５】抵抗体の別例を示す図。
【発明を実施するための形態】
【００１０】
以下、本発明の実施の形態について、車両情報を出力する液晶表示パネルの制御装置として例にあげて、図面に基づいて詳細に説明する。
【００１１】
図１は、液晶表示パネルの制御装置について示すブロック図であり、液晶表示パネル（表示パネル）１と、駆動回路２と、制御手段３とを有する。
【００１２】
液晶表示パネル１は、例えば単純マトリクス駆動型の液晶表示パネルを適用でき、駆動回路２からの信号に基づいて、表示像を形成することによって、可視情報を表示する表示面をなす。また、液晶表示パネル１の一辺側には、複数の配線を有してなる接続部１０が形成されてなり、前記配線として駆動回路２からの信号を入力し、図示しない表示用電極へ導通するための駆動用端子１１と、前記駆動回路２を介さずに、制御手段３に接続される識別用端子１２とを有している。識別用端子１２は、複数本形成されてなり、液晶表示パネル１の仕様に対応して、それぞれが接続状態、または非接続状態となっている。これら対応関係は、予め設定されるもので、この場合、図２に示すように、識別用端子１２間が接続状態であれば、第１の仕様、非接続状態（図示しない）であれば第２の仕様としている。
【００１３】
なお、液晶表示パネル１の各配線は、駆動回路２、または、制御手段３と接続され、この場合、異方性導電膜やフレキシブル配線板、制御手段３が実装された回路基板上の配線などを介して導通している。
【００１４】
駆動回路２は、駆動用ドライバを適用でき、液晶表示パネル１の駆動用端子１１と、制御手段３と接続してなり、制御手段３からの制御信号に基づいて、液晶表示パネル１を駆動するための信号を液晶表示パネル１へ出力するものである。
【００１５】
制御手段３は、例えば、マイクロコンピュータを適用でき、液晶表示パネル１の識別用端子１２と接続されるとともに、駆動回路２に接続されて、表示制御用の制御信号を駆動回路２へ出力する。また、この場合、制御手段３は、所定のプログラムを格納する記憶部と、通信線を介して入力する車両情報や前記プログラムに基づいて演算処理を行う演算部などを設けてなり、液晶表示パネル１によって車両情報に関する表示出力がなされるように促す制御信号を生成し、駆動回路２を出力することができる。なお、この場合、制御手段３を実装する回路基板上において、図１に示すように、制御手段３と液晶表示パネルとを接続する識別用配線Ａを用意し、一方の識別用端子１２と制御手段３とが接続し、他方の識別用端子１２は、接地用配線Ｂを介して接地されるとともに、前記一方の識別用端子１２と制御手段３との間の識別用配線Ａに電源が供給される。
【００１６】
また、制御手段３は、判定手段として、識別用端子１２と接続する入力ポートを設けてなり、入力された信号の電位、即ち識別用端子１２の接続状態、または非接続状態に応じて、液晶表示パネル１の仕様を識別することができる。この場合、制御手段３は、図２に示すように、２本用意された液晶表示素子１の識別用端子１２が接続状態である場合には、第１の仕様と判定し、また非接続状態である場合には、第２の仕様と判定する。また、制御手段３は、予め第１，２の仕様それぞれに対応するプログラムが前記記憶部に格納されており、プログラム選択手段として、前述判定処理の結果に応じた何れかの仕様に対応するプログラムを選択し、以降の表示出力するための演算処理を行うことができる。
【００１７】
斯かる表示パネルの制御装置は、複数の配線を有する液晶表示パネル１と、この液晶表示パネル１を制御するための制御手段３と、を備えた表示パネルの制御装置であって、液晶表示パネル１における前記複数の配線のうち、液晶表示パネル１の仕様に応じて他の端子と接続状態、または非接続状態の識別用端子１２を設け、制御手段３は、識別用端子１２と接続され、識別用端子１２の前記接続状態、または非接続状態に基づいて液晶表示パネル１の仕様を判別する判定手段と、この判定手段の判定結果に応じて予め格納された複数のプログラムから液晶表示パネル１の仕様に対応するプログラムを選択するプログラム選択手段とを備えてなる。
【００１８】
したがって、複数種類の液晶表示パネル１のうち、何れかの液晶表示パネル１が接続されたとしても、自動的に仕様に対応した適正なプログラムにて表示制御を行うことが可能となる。
【００１９】
なお、本発明を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。例えば、表示パネルとして液晶表示素子を用いたものを示したが、有機ＥＬを用いたパネルを適用することもできる。また、識別用端子として２本用いたものを示したが、３本以上の識別用端子を用いて、より多くの種類の仕様に対応させることもできる。
【００２０】
また、制御手段に識別用端子と接続するポートを複数用意して構成することもでき、例えば、制御手段からの出力信号が他のポートから入力されるか否かを判定することによって、識別用端子の接続状態、非接続状態を判別することもできる。
【００２１】
また、図３乃至５は、前述した実施の形態の同様箇所を同符号を用いて示すものであるが、図３に示すように、識別用端子１２間に予め設定された仕様に対応する抵抗値のチップ抵抗素子（抵抗体）１２ａを実装することで、図４に示すように、制御手段３との接続時に前記仕様を判別できる。この場合、制御手段３は、液晶表示パネル１に接続された配線から電気信号をアナログ入力し、この電流値に基づいて、液晶表示パネル１の仕様を判別できる。
【００２２】
また、チップ抵抗素子１２ａではなく、ＩＴＯからなる薄膜配線の線幅や長さなどを仕様に応じて設定し、図５に示すような迂回形状の配線（抵抗体）１２ｂを適用することによって、液晶表示パネル１の仕様に応じて抵抗値の異なる液晶表示パネル１となり、制御手段３によって判別できる構成となる。
【産業上の利用可能性】
【００２３】
本発明は、例えば、自動車やオートバイ、あるいは農業機械や建設機械を備えた移動体に搭載される車両用表示装置など、複数の仕様が設定された表示パネルの制御装置として適用できる。
【符号の説明】
【００２４】
１    液晶表示パネル（表示パネル）
１２  識別用端子
２    駆動回路
３    制御手段
【図１】
2011028224.tif 000003
【図２】
2011028224.tif 000004
【図３】
2011028224.tif 000005
【図４】
2011028224.tif 000006
【図５】
2011028224.tif 000007